(57)【特許請求の範囲】
【請求項１】
ユーザーの頭頂部側が突出して露出するように頭部の外周に装着される環状体の本体部と、
前記本体部に形成された内部空間に設けられた送風器、ヒーター、及びバッテリー電源と、を備え、
前記本体部の環状体の内周面には、前記内部空間に通じる吹出口が形成されており、
前記本体部の環状体の前記内周面以外の面には、前記内部空間に通じる吸入口が形成されており、
前記本体部の環状体は、周方向の一部に開放部が設けられており、
前記本体部の環状体は、前記開放部と反対側を支点として前記開放部を挟んで向い合う端部どうしの距離を変化できるように、弾性を有し、
前記本体部の環状体は、前記送風器、及び前記ヒーターを有する左右一対の送風部と、左右一対の前記送風部を繋ぐ連結部とを備え、
左右一対の前記送風部を繋ぐ前記連結部の後頭部側の上面には、毛髪を前記本体部の環状体の内側から外側に通すための凹状の段差が形成されている
ヘアドライヤー。
【請求項２】
請求項１に記載のヘアドライヤーであって、
前記開放部は、前記本体部を前記ユーザーの頭部に装着した状態で前記ユーザーの前頭部側に配置される
ヘアドライヤー。
【請求項３】
請求項１または２に記載のヘアドライヤーであって、
前記端部どうしを接続する接続部材
を備えるヘアドライヤー。
【請求項４】
請求項１〜３のいずれか一項に記載のヘアドライヤーであって、
前記本体部の環状体の外周面に、前記ユーザーの前記頭頂部側を含む前記ユーザーの毛髪を覆うためのシートを着脱可能な固定部材を備える
ヘアドライヤー。
【請求項５】
請求項１〜４のいずれか一項に記載のヘアドライヤーであって、
前記本体部の環状体の内周面に、クッション部材を備える
ヘアドライヤー。
【発明の詳細な説明】
【技術分野】
【０００１】
本発明は、ヘアドライヤーに関する。
【背景技術】
【０００２】
従来から手で持って使用するヘアドライヤーがある。例えば、一方の手でヘアドライヤーを持ち、他方の手で毛髪を持ち上げたりして、髪を乾かす。特許文献１には、手で持つヘアドライヤーが記載されている。
【先行技術文献】
【特許文献】
【０００３】
【特許文献１】特開２０１９−０５８４８２号公報
【発明の概要】
【発明が解決しようとする課題】
【０００４】
しかしながら、従来のヘアドライヤーを使用する際には、両手が塞がるため、毛髪を乾かしながら別のこと（例えばスマートフォンを操作したり、料理をしたり）をすることができない。据え置き型や壁掛け型のヘアドライヤーを使えば、ヘアドライヤーを手に持つ必要はなくなるが、ヘアドライヤーを置いた場所（例えば洗面所）から離れて別のことをすることはできない。
【０００５】
そこで、本発明は、ハンズフリーで使用することのでき、かつ、使用場所が制限されないヘアドライヤーを提供することを目的とする。
【課題を解決するための手段】
【０００６】
上記の課題を解決する本発明の一態様は、ヘアドライヤーであって、ユーザーの頭部の外周に装着される環状体の本体部と、前記本体部に形成された内部空間に設けられた送風器、ヒーター、及びバッテリー電源と、を備え、前記本体部の環状体の内周面には、前記内部空間に通じる吹出口が形成されており、前記本体部の環状体の前記内周面以外の面には、前記内部空間に通じる吸入口が形成されている。
【０００７】
上記のヘアドライヤーであって、前記本体部の環状体は、周方向の一部に開放部が設けられていてもよい。
【０００８】
上記のヘアドライヤーであって、前記本体部の環状体は、前記開放部と反対側を支点として前記開放部を挟んで向い合う端部どうしの距離を変化できるように、弾性を有していてもよい。
【０００９】
上記のヘアドライヤーであって、前記開放部は、前記本体部を前記ユーザーの頭部に装着した状態で前記ユーザーの前頭部側に配置されてもよい。
【００１０】
上記のヘアドライヤーであって、前記端部どうしを接続する接続部材を備えていてもよい。
【００１１】
上記のヘアドライヤーであって、前記本体部の環状体は、左右一対の送風部を備え、前記送風部は、それぞれ、前記送風器、及び前記ヒーターを有していてもよい。
【００１２】
上記のヘアドライヤーであって、前記本体部の環状体の外周面に、前記ユーザーの毛髪を覆うためのシートを着脱可能な固定部材を備えていてもよい。
【００１３】
上記のヘアドライヤーであって、前記本体部の環状体の内周面に、クッション部材を備えていてもよい。
【発明の効果】
【００１４】
本発明の一態様によれば、ハンズフリーで毛髪を乾かすことができ、かつ、使用場所が制限されない。
【図面の簡単な説明】
【００１５】
【図１】本発明の一実施形態に係るヘアドライヤーの一例を示す上面図である。
【図２】ヘアドライヤーの一例を示す下面図である。
【図３】ヘアドライヤーの一例を示す側面図である。
【図４】ヘアドライヤーの一例を示す断面図である。
【図５】ヘアドライヤーの内部構成の一例を示す図である。
【図６】ヘアドライヤーの装着方法の一例を説明する図である。
【図７】ヘアドライヤーに着脱可能なシートの一例を示す図である。
【図８】シートの使用方法の一例を説明する図である。
【図９】シートの使用方法の一例を説明する図である。
【図１０】ヘアドライヤーの変形例を示す断面図である。
【発明を実施するための形態】
【００１６】
以下、本発明の一実施形態について、図面を参照しながら説明する。
【００１７】
図１は、本発明の一実施形態に係るヘアドライヤーの一例を示す上面図である。図２は、ヘアドライヤーの一例を示す下面図である。図３は、ヘアドライヤーの一例を示す側面図であり、図１の下側から視た図である。図４は、ヘアドライヤーの一例を示す断面図であり、図１のＡ−Ａ断面を示している。
【００１８】
図１に示すように、ヘアドライヤー１は、周方向の一部分が開放された（開放部２）環状に形成されている。後述するように、ヘアドライヤー１は、開放部２が前頭部側に位置し、開放部２と反対側の連結部１１が後頭部側に位置するように、ユーザーの頭部の外周に装着されて使用される。ヘアドライヤー１は、本体部１０と、クッション部材２０と、接続部材３０とを含む。
【００１９】
本体部１０は、環状体であり、左右一対の送風部１２と、左右の送風部１２を連結する連結部１１とを含む。本体部１０は、一体的に形成されてもよいし、複数の部品を連結して構成されてもよい。本体部１０は、開放部２と反対側の連結部１１の中央部を支点として、開放部２を挟んで向い合う端部どうしの距離を変化できるように、弾性を有する。本体部１０の素材は特に限定されないが、例えばプラスチックやシリコーンゴムである。これにより、ユーザーの頭部を挟むようにして本体部１０を頭部にフィットさせることができる。
【００２０】
クッション部材２０は、本体部１０の環状体の内周面に沿って設けられている。クッション部材２０の素材は、特に限定されないが、例えばウレタンスポンジなどの弾性部材である。クッション部材２０により、ユーザーの頭部への本体部１０の密着性を高めるとともに、ユーザーの頭部への当たりを柔らかくすることができる。また、後述する吹出口１２２とユーザーの頭部との間に隙間を設けることができる。
【００２１】
接続部材３０は、開放部２を挟んで向い合う本体部１０の端部どうしを接続する部材である。接続部材３０は、例えば、ベルト部材であり、互いに着脱可能であるとともに、長さを調整することができる。接続部材３０により、ユーザーの頭部への本体部１０の締め付け具合を調整することができる。
【００２２】
図２を参照すると、送風部１２の円弧状の下面には、送風部１２に形成された内部空間に通じる複数の吸入口１２１が形成されている。図２の例では、各吸入口１２１は、複数の同心円上の円弧状の開口である。もちろん、吸入口１２１の形状や配置は、図示した例に限られない。吸入口１２１は、例えば、送風部１２の外周面に形成されていてもよい。この場合、後述する固定部材１３より下方の外周面に吸入口１２１を配置するのが好ましい。また、各吸入口１２１に対してフィルター（例えば格子状かメッシュ状）を設けてもよいし、各吸入口１２１を１つの開口として形成し、そこにフィルターを設けてもよい。
【００２３】
図３を参照すると、本体部１０の左側の送風部１２の外周面には、後述する操作部１１２の一部が露出している。ユーザーは、ヘアドライヤー１を頭部に装着した状態で、片手で操作部１１２を操作することができる。本体部１０の右側の送風部１２の外周面は、操作部１１２が存在しないことを除いて、左側と対称である。
【００２４】
図４を参照すると、本体部１０の右側の送風部１２の内周面には、その内部空間に通じる複数の吹出口１２２が形成されている。図４の例では、各吹出口１２２は、同一形状であり、内周面に沿った円弧状の開口である。もちろん、吹出口１２２の形状や配置は、図示した例に限られない。各吹出口１２２に対してフィルター（例えば格子状かメッシュ状）を設けてもよいし、各吹出口１２２を１つの開口として形成し、そこにフィルターを設けてもよい。なお、複数の吹出口１２２は、送風部１２の内周面の下部に設けられたクッション部材２０を避けて上方に形成されている。本体部１０の左側の送風部１２の外周面は、左側と同様である。
【００２５】
図１、図３、及び図４を参照すると、左右の送風部１２と連結部１１の上面には、高さ方向に段差がつけられており、凹部３が形成されている。後述するように、この凹部３により、後頭部の方に纏めた毛髪を通して外側に出し易くなっている。
【００２６】
図５は、ヘアドライヤーの内部構成の一例を示す図である。本体部１０の環状体には、内部空間が形成されている。連結部１１の内部空間と、左右一対の送風部１２の内部空間とは、連通している。連結部１１内には、コントローラー１１１、バッテリー電源１１３などが設けられている。各送風部１２内には、１つ以上の送風器１２３、１つ以上のヒーター１２４などが設けられている。左側の送風部１２内には、操作部１１２が設けられている。なお、各部に接続される制御線や電源線は省略している。
【００２７】
コントローラー１１１は、操作部１１２、バッテリー電源１１３、各送風器１２３、及び各ヒーター１２４を制御する。例えば、コントローラー１１１は、ユーザーによる操作部１１２の操作により電源オンされると、各送風器１２３の回転を開始するとともに各ヒーター１２４の加熱を開始する。もちろん、熱風を吹き出すモード（各ヒーター１２４をオン）と、冷風を吹き出すモード（各ヒーター１２４をオフ）を、操作部１１２で選択可能としてもよい。
【００２８】
操作部１１２は、ユーザーの操作を受け付けるボタン、スイッチ、タッチパネルなどであり、その一部が本体部１０の外周面から露出している。操作部１１２は、有機ＥＬディスプレイなどの表示装置を備えていてもよい。また、操作部１１２は、無線受信部とリモートコントローラーとから構成され、リモートコントローラーを介してユーザーから操作を受け付けてもよい。リモートコントローラーには、ボタン、スイッチ、タッチパネルなどが設けられている。本体部１０には、リモートコントローラーを収納するためのポケットを設けてもよい。
【００２９】
バッテリー電源１１３は、例えばリチウムイオン二次電池などの二次電池である。連結部１１は、バッテリー電源１１３に充電するためのコネクターを備えていてもよい。
【００３０】
送風器１２３は、例えば送風ファンであり、送風方向が吹出口１２２を向くように設置されている。ヒーター１２４は、例えばセラミックヒーターであり、送風器１２３と吹出口１２２の間に設置されている。送風器１２３によって吸入口１２１から吸い込まれた空気は、送風器１２３によってヒーター１２４の方へ送られて温められ、吹出口１２２から吹き出される（図中の矢印）。
【００３１】
なお、本体部１０内の各構成要素の配置や数は、図示した例に限られない。例えば、操作部１１２は、右側の送風部１２あるいは連結部１１に設けられてもいてもよい。
【００３２】
図６は、ヘアドライヤーの装着方法の一例を説明する図である。本図では、ヘアドライヤー１を簡略化して破線で示している。まず、前髪及び横髪を後頭部の方へ流して後ろ髪とともに纏める。それから、ヘアドライヤー１の環状体を少し開いた（開放部２が広がるように撓ませる）状態で、ヘアドライヤー１を上方から頭部Ａに被せ、環状のクッション部材２０が頭部Ａの外周を挟み込むようにして装着する。環状のクッション部材２０の前側（開放部２側）は、額の髪の生え際辺りに位置し、後ろ側（凹部３側）は、襟足辺りに位置する。それから、両側の接続部材３０を互いに接続する。そして、後頭部の方に纏めた毛髪Ｂがヘアドライヤー１の環状体の内側に入っている場合は、持ち上げて凹部３を通じて外側に引っ張り出す。最後に、ヘアドライヤー１が頭部Ａから滑り落ちないように、接続部材３０の長さを調整し、頭部Ａにフィットさせる。
【００３３】
図７は、ヘアドライヤーに着脱可能なシートの一例を示す図である。ヘアドライヤー１は、毛髪を覆うためのシート４０を備えることができる。シート４０は、長い帯状であり、一方の長辺に沿って複数の固定部材４１が設けられている。シート４０の素材は、特に限定されないが、例えば毛髪の乾燥を促進するため保温性の高いクロスが望ましい。透湿性も高いとより好ましい。もちろん、シート４０の形状やサイズは、毛髪を覆うことができれば図示して例に限られない。形状やサイズが異なる複数のシート４０を用意し、交換できるようにしてもよい。
【００３４】
本体部１０の外周には、複数の固定部材１３が設けられている。固定部材４１及び固定部材１３は、互いに着脱可能であり、例えばスナップボタンや面ファスナーである。シート４０を本体部１０の外周に巻くように配置し、対応する各固定部材４１及び固定部材１３を固定することで、本体部１０にシート４０を取り付けることができる。
【００３５】
図８及び図９は、シートの使用方法の一例を説明する図である。ヘアドライヤー１の装着方法は、図６で説明したとおりである。図８を参照すると、ヘアドライヤー１を頭部に装着した状態で、シート４０を本体部１０の外周に取り付ける。又は、シート４０を本体部１０の外周に取り付けた後で、ヘアドライヤー１を頭部に装着してもよい。この状態では、図８に示すように、シート４０は、本体部１０から垂れ下がっている。それから、図９に示すように、シート４０の垂れ下がった部分を捲るようにして持ち上げ、ヘアドライヤー１の上側及びその内側から後方に出された毛髪を包むように、シート４０の端部を重ねる。
【００３６】
ヘアドライヤー１の上方を毛髪とともに包む空間が形成されるため、吹出口１２２から吹き出した温風が外部に逃げ難くなり、毛髪の乾燥を促進することができる。また、ユーザーが長髪であっても、ヘアドライヤー１の後方から垂れ下がった毛髪端部も包むことができ、乾燥を促進することができる。なお、左側の送風部１２の外周面上の固定部材１３は、操作部１１２の露出部よりも上方に配置されている。これにより、図９の状態のシート４０によって操作部１１２の露出部が隠されず、ユーザーは操作を行うことができる。
【００３７】
以上、本発明の一実施形態について説明した。本実施形態に係るヘアドライヤー１は、頭部に被って使用することができるため、ハンズフリーで毛髪を乾かすことができる。また、ヘアドライヤー１は、バッテリー電源を内蔵しておりコードレスであるため、使用場所が制限されない。そして、毛髪を乾かしながら好きな場所で別のこと（例えばスマートフォンを操作したり、料理をしたり）をすることができる。
【００３８】
本発明は、上記の実施形態に限定されず、本発明の要旨の範囲内で種々の変形実施が可能であり、それらの態様を含むものである。ある実施形態の一部の構成要素を、他の実施形態に加えたり、他の実施形態の一部の構成要素と置換したりしてもよい。ある実施形態の構成要素のうち、一部の構成要素を省略することもできる。
【００３９】
例えば図１０に示すように、送風部１２の連結部１１側の端面に、１つ以上の吹出口１２２ａを設けてもよい。このようにすれば、後頭部側の毛髪をより効果的に乾燥させることができる。この場合、吹出口１２２ａの方向を向いた送風器１２３及びヒーター１２４を送風部１２内に設けてもよい。
【００４０】
また例えば、ヘアドライヤー１の環状体は、ユーザーの頭部に被せることができれば、開放部２を有していなくよい。
【００４１】
なお、ヘアドライヤー１の各構成要素の配置、寸法、形状等の構成は、本発明の目的を達成できれば、上記に説明あるいは図示した例に限られない。また例えば、「円弧」などの構成要素の関係や形状を表す言葉は、本発明の目的及び効果を達成できるのであれば、言葉どおりの厳密な意味に限られず、その意味と実質的に同一な場合も含むことができる。
【００４２】
本発明は、毛髪だけでなく、その他の人体の部位や人体以外の物を対象として使用することもできる。また、本発明は、ヘアドライヤーに限られず、ヘアドライヤーの装着方法などの様々な態様で提供することができる。
【符号の説明】
【００４３】
１…ヘアドライヤー、２…開放部、３…凹部、１０…本体部、１１…連結部、１２…送風部、１３…固定部材、２０…クッション部材、３０…接続部材、４０…シート、４１…固定部材、１１１…コントローラー、１１２…操作部、１１３…バッテリー電源、１２１…吸入口、１２２・１２２ａ…吹出口、１２３…送風器、１２４…ヒーター、Ａ…頭部、Ｂ…毛髪
【図１】
0006927599.tif 000002
【図２】
0006927599.tif 000003
【図３】
0006927599.tif 000004
【図４】
0006927599.tif 000005
【図５】
0006927599.tif 000006
【図６】
0006927599.tif 000007
【図７】
0006927599.tif 000008
【図８】
0006927599.tif 000009
【図９】
0006927599.tif 000010
【図１０】
0006927599.tif 000011